(57)【要約】【課題】基板と導電性部材とを導通させるために必要な部材及び基板と導電性部材とをベース部材に固定するために必要な部材を減らし、これらの取付作業の作業性を向上させることを目的とする構成とした遊技機を提供する。【解決手段】基板６０のグラウンドと導通可能な導電性の導通補助部材９０と、ベース部材８０と、導電性部材７０とを備え、導電性部材７０には、導通補助部材９０が挿入可能であり、導通補助部材９０を弾性保持しかつ導電性部材７０本体と導電可能な弾性保持部７５が設けられており、ベース部材８０には、弾性保持部７５に対応する位置に導通補助部材９０を挿入可能な挿入部８５が設けられていて、ベース部材８０の挿入部８５が孔部又は凹部よりなり、導通補助部材９０を導電性部材７０の弾性保持部７５に挿入することにより挿入部８５の側壁が弾性保持部７５に押圧されることで基板６０と導電性部材７０とがベース部材８０に保持される。【選択図】図１２
2005270418.tif 000002
【特許請求の範囲】
【請求項１】
遊技機本体部材と、
遊技機の電気的部材が搭載された基板と、
前記基板から突出するように配置され、前記基板のグラウンドと導通可能な導電性の導通補助部材と、
前記遊技機本体部材に設けられ、前記基板が取り付けられるベース部材と、
前記ベース部材に取り付けられる導電性部材とを備えた遊技機において、
前記導電性部材には、前記導通補助部材が挿入可能であり、前記導通補助部材を弾性保持しかつ導電性部材本体と導電可能な弾性保持部が設けられており、
前記ベース部材には、前記弾性保持部に対応する位置に前記導通補助部材を挿入可能な挿入部が設けられていて、
前記ベース部材の挿入部が孔部又は凹部よりなり、
前記導通補助部材を前記導電性部材の弾性保持部に挿入することにより前記挿入部の側壁が前記弾性保持部に押圧されることで前記基板と前記導電性部材とが前記ベース部材に保持されるようにしたことを特徴とする遊技機。
【請求項２】
遊技機本体部材と、
遊技機の電気的部材が搭載された基板と、
前記基板から突出するように配置され、前記基板のグラウンドと導通可能な導電性の導通補助部材と、
前記遊技機本体部材に設けられ、前記基板が取り付けられるベース部材と、
前記ベース部材に取り付けられる導電性部材とを備えた遊技機において、
前記導電性部材には、前記導通補助部材が挿入可能であり、前記導通補助部材を弾性保持しかつ導電性部材本体と導電可能な弾性保持部が設けられており、
前記ベース部材には、前記弾性保持部に対応する位置に前記導通補助部材を挿入可能な挿入部が設けられていて、
前記ベース部材の挿入部又は前記弾性保持部の少なくとも何れか一方が孔部よりなり、前記導通補助部材が前記孔部を貫通し他方に挿入されることで前記基板と前記導電性部材とが前記ベース部材に保持されるようにしたことを特徴とする遊技機。
【請求項３】
前記ベース部材と前記導電性部材とは平板状に形成されており、前記ベース部材が前記導電性部材及び前記基板よりも遊技機本体側に配置され、前記ベース部材、前記導電性部材及び前記基板がいずれも平行となるように配置されるとともに、前記ベース部材が非導電性部材で構成されていることを特徴とする請求項１又は２に記載の遊技機。
【請求項４】
前記弾性保持部は前記導電性部材と一体に形成された板ばね部よりなることを特徴とする請求項１ないし３のいずれか１項に記載の遊技機。
【請求項５】
前記基板に取り付けられる取付補助部材を備え、前記導通補助部材の前記弾性保持部による保持が解除されている状態で、前記取付補助部材及び遊技機本体部に前記基板の一側端を軸として前記基板を回動可能に遊技機本体に保持させる回動手段を設けたことを特徴とする請求項１ないし４のいずれか１項に記載の遊技機。
【請求項６】
前記回動手段は前記取付補助部材又は遊技機本体部の何れか一方に軸部を設け他方に軸受け部を設けたものであることを特徴とする請求項５に記載の遊技機。
【請求項７】
前記導通補助部材の前記弾性保持部による保持が解除されている状態で、前記導電性部材が一側端を軸に回動可能に遊技機に保持されたことを特徴とする請求項１ないし６のいずれか１項に記載の遊技機。
【請求項８】
前記導電性部材に第一挿入部が設けられ、前記ベース部材に第二挿入部が設けられており、前記基板に突設された突状部材とを備えるとともに、前記突状部材が前記第一及び第二の挿入部のうち少なくとも一方を貫通し他方に挿入されることによって、前記基板と前記導電性部材とが前記ベース部材に保持されるようにしたことを特徴とする請求項１ないし７のいずれか１項に記載の遊技機。
【請求項９】
前記導電性部材に第三挿入部が設けられ、前記ベース部材に第四挿入部が設けられており、前記基板に突設された突状部材を備えるとともに、前記第三挿入部には前記突状部材を弾性保持可能な弾性保持部が設けられ、前記第三挿入部、第四挿入部は前記突状部材が挿入可能な孔部又は凹部で構成され、前記突状部材を前記弾性保持部に挿入することにより前記第四挿入部の側壁が前記弾性保持部に押圧されることにより前記基板と前記導電性部材とが前記ベース部材に保持されることを特徴とする請求項１ないし７のいずれか１項に記載の遊技機。
【発明の詳細な説明】
【技術分野】
【０００１】
本発明は、パチンコ遊技機、スロットマシン等の遊技機に関し、特には、基板の耐ノイズ性構造を有する遊技機に関する。
【背景技術】
【０００２】
パチンコ等の遊技機は、弾発発射された遊技球が遊技領域を流下し、その遊技球の何れかが、釘、風車等を介して前記遊技領域内に設けられた各種の入賞口あるいは入賞ゲート等の入賞装置に入賞（入球）又は通過し、当該遊技球の入賞が検出されることによって所定数の賞球が払い出される。この種遊技機にあっては、前記遊技球が遊技領域を流下、転動する際に摩擦が生じ該遊技球が帯電することがある。また、遊技盤の役物等にモーターやソレノイド等の電気的駆動源が設けられているため、静電気や電磁波等のノイズの発生は避けられないものであった。
【０００３】
前記遊技機においては、遊技に関する各種制御を行うため、ＣＰＵ，ＲＯＭ，ＲＡＭの他、コンデンサー等の各種電子部品を装着した制御基盤を複数備えている。このため、制御基盤が前述した遊技球の静電気や電気的駆動源から発生するノイズによる影響を受けないよう対策を行う必要があった。そこで、従来では、制御基板のグランドと導通可能な導電性部材及び導通補助部材を備えた遊技機が提案されている（特許文献１参照）。この遊技機は、前記制御基板のグランド開口部において該制御基板と導通補助部材とをねじにより止着し、前記制御基板が収納される制御基板収納部材と導電性部材とをねじにより止着して制御基板と導電性部材とを導通補助部材を介して導通させるとともに、該導電性部材に設けられている取付部材を遊技盤の裏面側に設けられた取付ベースに係止することで遊技機に取り付けられている。
【０００４】
しかしながら、この取付構造にあっては、複数のねじを使用するため、取付作業が煩雑なものとなり、作業性の向上が望まれていた。
【特許文献１】特開２０００−４２２２６号公報
【発明の開示】
【発明が解決しようとする課題】
【０００５】
本発明は前記の点に鑑みなされたものであり、基板と導電性部材とを導通させるために必要な部材及び基板と導電性部材とをベース部材に固定するために必要な部材を減らし、これらの取付作業の作業性を向上させることを目的とする構成とした遊技機を提供する。
【課題を解決するための手段】
【０００６】
すなわち、請求項１の発明は、遊技機本体部材と、遊技機の電気的部材が搭載された基板と、前記基板から突出するように配置され、前記基板のグラウンドと導通可能な導電性の導通補助部材と、前記遊技機本体部材に設けられ、前記基板が取り付けられるベース部材と、前記ベース部材に取り付けられる導電性部材とを備えた遊技機において、前記導電性部材には、前記導通補助部材が挿入可能であり、前記導通補助部材を弾性保持しかつ導電性部材本体と導電可能な弾性保持部が設けられており、前記ベース部材には、前記弾性保持部に対応する位置に前記導通補助部材を挿入可能な挿入部が設けられていて、前記ベース部材の挿入部が孔部又は凹部よりなり、前記導通補助部材を前記導電性部材の弾性保持部に挿入することにより前記挿入部の側壁が前記弾性保持部に押圧されることで前記基板と前記導電性部材とが前記ベース部材に保持されるようにしたことを特徴とする遊技機に係る。
【０００７】
請求項２の発明は、遊技機本体部材と、遊技機の電気的部材が搭載された基板と、前記基板から突出するように配置され、前記基板のグラウンドと導通可能な導電性の導通補助部材と、前記遊技機本体部材に設けられ、前記基板が取り付けられるベース部材と、前記ベース部材に取り付けられる導電性部材とを備えた遊技機において、前記導電性部材には、前記導通補助部材が挿入可能であり、前記導通補助部材を弾性保持しかつ導電性部材本体と導電可能な弾性保持部が設けられており、前記ベース部材には、前記弾性保持部に対応する位置に前記導通補助部材を挿入可能な挿入部が設けられていて、前記ベース部材の挿入部又は前記弾性保持部の少なくとも何れか一方が孔部よりなり、前記導通補助部材が前記孔部を貫通し他方に挿入されることで前記基板と前記導電性部材とが前記ベース部材に保持されるようにしたことを特徴とする遊技機に係る。
【０００８】
請求項３の発明は、前記ベース部材と前記導電性部材とは平板状に形成されており、前記ベース部材が前記導電性部材及び前記基板よりも遊技機本体側に配置され、前記ベース部材、前記導電性部材及び前記基板がいずれも平行となるように配置されるとともに、前記ベース部材が非導電性部材で構成されていることを特徴とする請求項１又は２に記載の遊技機に係る。
【０００９】
請求項４の発明は、前記弾性保持部は前記導電性部材と一体に形成された板ばね部よりなることを特徴とする請求項１ないし３のいずれか１項に記載の遊技機に係る。
【００１０】
請求項５の発明は、前記基板に取り付けられる取付補助部材を備え、前記導通補助部材の前記弾性保持部による保持が解除されている状態で、前記取付補助部材及び遊技機本体部に前記基板の一側端を軸として前記基板を回動可能に遊技機本体に保持させる回動手段を設けたことを特徴とする請求項１ないし４のいずれか１項に記載の遊技機に係る。
【００１１】
請求項６の発明は、前記回動手段は前記取付補助部材又は遊技機本体部の何れか一方に軸部を設け他方に軸受け部を設けたものであることを特徴とする請求項５に記載の遊技機に係る。
【００１２】
請求項７の発明は、前記導通補助部材の前記弾性保持部による保持が解除されている状態で、前記導電性部材が一側端を軸に回動可能に遊技機に保持されたことを特徴とする請求項１ないし６のいずれか１項に記載の遊技機に係る。
【００１３】
請求項８の発明は、前記導電性部材に第一挿入部が設けられ、前記ベース部材に第二挿入部が設けられており、前記基板に突設された突状部材とを備えるとともに、前記突状部材が前記第一及び第二の挿入部のうち少なくとも一方を貫通し他方に挿入されることによって、前記基板と前記導電性部材とが前記ベース部材に保持されるようにしたことを特徴とする請求項１ないし７のいずれか１項に記載の遊技機に係る。
【００１４】
請求項９の発明は、前記導電性部材に第三挿入部が設けられ、前記ベース部材に第四挿入部が設けられており、前記基板に突設された突状部材を備えるとともに、前記第三挿入部には前記突状部材を弾性保持可能な弾性保持部が設けられ、前記第三挿入部、第四挿入部は前記突状部材が挿入可能な孔部又は凹部で構成され、前記突状部材を前記弾性保持部に挿入することにより前記第四挿入部の側壁が前記弾性保持部に押圧されることにより前記基板と前記導電性部材とが前記ベース部材に保持されることを特徴とする請求項１ないし７のいずれか１項に記載の遊技機に係る。
【発明の効果】
【００１５】
以上図示し説明したように、請求項１又は２の発明に係る遊技機によれば、導通補助部材を導電性部材の弾性保持部に挿入することによって、基板と導電性部材とがベース部材に保持されるようにしたものであるため、導通補助部材を弾性保持部に挿通させるだけで簡単かつ容易にしかもワンタッチで基板と導電性部材とを導通させるとともに基板と導電性部材とをベース部材に保持させることができる。したがって、基板と導電性部材の導通及びこれらのベース部材への固定に必要な部材を減少させることができ、取付作業の作業性を向上させることができる。
【００１６】
請求項３の発明によれば、請求項１又は２において、ベース部材と導電性部材とは平板状に形成されており、ベース部材が導電性部材及び基板よりも遊技機本体側に配置され、ベース部材、導電性部材及び基板がいずれも平行となるように配置されるとともに、ベース部材が非導電性部材で構成されており、ベース部材と基板との間に設けた導電性部材に誘導された電荷が基板のグラウンドを介して除去されて、遊技機本体側より生じるノイズ等から基板を保護することができる。
【００１７】
請求項４の発明によれば、請求項１ないし３のいずれか１項において、弾性保持部は導電性部材と一体に形成された板ばね部よりなるものであるため、弾性保持部による導通補助部材の保持を安定かつ強固なものとすることができる。
【００１８】
請求項５の発明によれば、請求項１ないし４のいずれか１項において、基板に取り付けられる取付補助部材を備え、導通補助部材の弾性保持部による保持が解除されている状態で、取付補助部材及び遊技機本体部に基板の一側端を軸として基板を回動可能に遊技機本体に保持させる回動手段を設けたため、当該回動手段を介して基板を回動させるだけで基板の裏面を容易に確認することができ、基板に対する不正行為を発見し易くするとともに、導通補助部材の弾性保持部による保持が解除されている時でも基板が落下することを防ぐことができる。
【００１９】
請求項６の発明によれば、請求項５において、前記回動手段は前記取付補助部材又は遊技機本体部の何れか一方に軸部を設け他方に軸受け部を設けたものであるから、簡単な構造により基板を回動させることができる。
【００２０】
請求項７の発明によれば、請求項１ないし６のいずれか１項において、導通補助部材の弾性保持部による保持が解除されている状態で、導電性部材が一側端を軸に回動可能に遊技機に保持されたものであるため、導通補助部材の弾性保持部による保持が解除されている時でも導電性部材が落下することを防ぐことができる。
【００２１】
請求項８の発明によれば、請求項１ないし７のいずれか１項において、導電性部材に第一挿入部が設けられ、ベース部材に第二挿入部が設けられており、基板に突設された突状部材とを備えるとともに、突状部材が第一及び第二の挿入部のうち少なくとも一方を貫通し他方に挿入されることによって、基板と前記導電性部材とが前記ベース部材に保持されるようにしたものであるため、基板及び導電性部材のベース部材に対する固定を確実かつ強固なものとすることができる。
【００２２】
請求項９の発明によれば、請求項１ないし７のいずれか１項において、導電性部材に第三挿入部が設けられ、ベース部材に第四挿入部が設けられており、基板に突設された突状部材を備えるとともに、第三挿入部には前記突状部材を弾性保持可能な弾性保持部が設けられ、第三挿入部、第四挿入部は前記突状部材が挿入可能な孔部又は凹部で構成され、前記突状部材を弾性保持部に挿入することにより第四挿入部の側壁が弾性保持部に押圧されることにより基板と導電性部材とが前記ベース部材に保持されるものであるから、基板及び導電性部材のベース部材に対する固定をより強固なものとすることができる。
【発明を実施するための最良の形態】
【００２３】
以下添付の図面に従ってこの発明を詳細に説明する。
図１は本発明の一実施例に係る遊技機全体の正面図、図２は同遊技機全体の裏面図、図３は枠体、機構板及び前面枠の斜視図、図４は遊技盤の背面図、図５は基板、導電性部材及びベース部材の位置関係を示す斜視図、図６は取付補助部材をベース部材に取り付ける状態の前半を示す斜視図、図７は取付補助部材をベース部材に取り付ける状態の後半を示す斜視図、図８は図６の要部拡大図、図９は取付補助部材及び導電性部材をベース部材に取り付ける状態の前半を示す斜視図、図１０は取付補助部材及び導電性部材をベース部材に取り付ける状態の後半を示す斜視図、図１１は図８のＸ−Ｘ線の位置で切断した状態の断面図、図１２は導通補助部材が弾性保持部に挿入される状態を示す断面図、図１３は基板と導通補助部材とが固定された状態を示す斜視図、図１４は図１２の要部拡大図、図１５は導通補助部材が弾性保持部に挿入される他の実施例を示す断面図、図１６は導通補助部材が弾性保持部に挿入される別の実施例を示す断面図、図１７は弾性保持部及び挿入部のさらに別の実施例を示す断面図である。
【００２４】
図１に示す弾球遊技機１は、前面枠４４の内側に本発明における遊技機本体部材である遊技盤３が着脱交換可能に収容されており、その遊技盤３に遊技球の外側誘導レール４及び内側誘導レール５が略円形に立設され、遊技盤３の前記外側誘導レール４と内側誘導レール５によって囲まれた遊技領域６の中心線上にその上部から下部に向かって順に画像表示装置９、普通電動役物である第１種始動入賞口１０、特別電動役物である大入賞口１５、アウト口（排出口とも称される。）１７が配設され、また上方両側にはランプ風車１８ａ，１８ｂ、その下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００２５】
また、前記前面枠４４の前面側には、払い出された遊技球を受け、遊技者の発射操作に応じて遊技球を遊技盤３の遊技領域６に向けて発射する発射装置Ｈ及び当該発射装置Ｈに遊技球を供給する上側遊技球貯留皿３１、前記上側遊技球貯留皿３１の飽和時に遊技球を受けるための下側遊技球貯留皿３２、遊技状態を報知するランプ表示器３３，３４、音声や効果音を発して遊技状態を遊技者に報知するスピーカ８等がそれぞれ組み付けられている。
【００２６】
図中の画像表示装置９は、ＴＦＴ−ＬＣＤモジュール等の液晶表示装置を用いた画像表示部からなる図柄表示装置であり、図示はしないが特別図柄及び普通図柄の他、背景等の遊技画像が表示される。前記図柄表示装置を構成する画像表示部は、前記の液晶表示盤に限られるものではなく、ＬＥＤ、ＥＬ、ＣＲＴやその他発光体で構成されていてもよい。
【００２７】
図２に示すように、遊技機１の裏面側には、前記前面枠４４に固定される機構板４０が設けられ、該機構板４０には、貯留タンク４１、タンクレール４２、払出装置４３の他、遊技機１の電気的部材が搭載された基板を収容する内部が透視可能なように透明樹脂で成型された各種基板収容ボックスが設けられている。前記基板収容ボックスとしては、主制御基板収容ボックス１００，表示制御基板収容ボックス１１０，ランプ制御基板収容ボックス１１１，音声制御基板収容ボックス１１２，払出制御基板収容ボックス１１３，電源基板収容ボックス１１４，発射装置制御基板収容ボックス１１５等が備え付けられている。各種基板収容ボックスは、後述のとおり基板を収容するケース体と前記ケース体を被着するカバー体とからなり、前記ケース体に基板が収容され、そのケース体にカバー体を合着させて一体化されており、外部から基板を取り出すためにはカバー体を取り外す必要がある。さらに主制御基板収容ボックスは後述のとおり封止ピンで封止がなされている。前記主制御基板収容ボックスは、本発明の取付補助部材に相当する。
【００２８】
前記主制御基板は主制御回路を有しており、該主制御回路は、本発明の電気的部材に当たるＣＰＵ，ＲＡＭ，ＲＯＭ，複数のカウンタを備えたコンピュータと、該コンピュータと表示制御回路等を結ぶ入出力回路と、前記コンピュータと大入賞口１５に接続される中継回路等を結ぶ入出力回路等で構成される。前記ＣＰＵは、制御部，演算部，各種カウンタ，各種レジスタ，各種フラグ等を備え、演算制御を行う他、大当たりの発生確率や小当たり（第１種始動入賞口１０の拡開開放を行う普通図柄当たり）の発生確率を定める乱数等も生成している。また、前記ＲＡＭは、特別図柄変動開始スイッチの検出信号及び普通図柄変動開始スイッチの検出信号用の記憶領域，ＣＰＵで生成される各種乱数値用の記憶領域，各種データを一時的に記憶する記憶領域やフラグ，ＣＰＵの作業領域を備えており、判定図柄の図柄情報（各カウンタの取得数値）等の各種データを記憶する。さらに、前記ＲＯＭには、遊技上の制御プログラムや制御データが書き込まれている他、各遊技状態における大当たり及び小当たりの判定値等が書き込まれている。
【００２９】
前記表示制御基板は表示制御回路を有しており、ＣＰＵ，ＲＡＭ，ＲＯＭを備えたコンピュータと、該コンピュータと前記主制御回路を結ぶ入力回路と、前記コンピュータと図柄表示装置を結ぶ出力回路等で構成される。前記ＣＰＵは、内部に制御部，演算部，各種カウンタ，各種レジスタ，各種フラグ等を有し演算制御を行うようになっている。また、前記ＲＡＭは、記憶領域と前記ＣＰＵによる作業領域等を有しており、主制御回路のＲＡＭと同様にカウンタの取得数値等の各種データを記憶する。さらに、前記ＲＯＭには、前記図柄表示装置の画像表示部への表示データや各種表示プログラム等の図柄データが書き込まれている。
【００３０】
図３は本発明の遊技機１の枠体２、機構板４０及び前面枠４４の取り付け構造について示す。枠体２は、木製板材で枠組みされたもので、その側面の上部及び下部に軸支部材２ａを有し、該軸支部材２ａにより前面枠４４が開閉自在に軸支される。機構板４０はその背面側に図２に示した貯留タンク４１、タンクレール４２、払出装置４３の他、遊技機１の電気的部材が搭載された基板を収容する各種基板収容ボックスを取り付けるための取付面を有しており、前面枠４４に固定手段４０ａにより開閉可能に固定される。前面枠４４は絶縁性の合成樹脂よりなり、遊技盤３を収容する収容部を備え、収容部の上部に遊技盤３の遊技領域６を規制する誘導レールの外周面に合致する円形の開口を有する主枠体４５等を有する。
【００３１】
図４は本発明の遊技盤３の背面図を示す。図示のとおり、遊技盤３には、順に、基板６０が取り付けられるベース部材８０、該ベース部材８０に取り付けられる導電性部材７０、基板６０を収容した取付補助部材１００が配置される。取付補助部材１００には、後述する回動手段である軸部１０３が設けられており、基板６０の一側端（実施例では上端）を軸として基板６０を回動可能に遊技機本体に保持されるように構成されている。図において符号１２０は表示制御基板、１１０は表示制御基板収容ボックス、９０は後述する導通補助部材、６７は同じく後述する突状部材である。
【００３２】
前記導電性部材７０は、基板６０と略同一形状からなる金属あるいは導電性樹脂より構成されている。導電性部材７０は、後述するように、その一側端（実施例では上端）を軸に回動可能に遊技機１に保持されている。なお、本実施例では前記導電性部材７０は基板６０と略同一形状としたが、決まって同一形状のものでなくてもよい。
【００３３】
図５は基板６０、導電性部材７０及びベース部材８０の位置関係を示す。導電性部材７０には、導通補助部材９０が挿入可能であり、該導通補助部材９０を弾性保持しかつ導電性部材７０本体と導電可能な弾性保持部７５が設けられている。また、ベース部材８０には、前記導通補助部材９０を挿入可能な挿入部８５が設けられている。図に示すように、この実施例では、前記ベース部材８０と前記導電性部材７０とは平板状に形成されており、前記ベース部材８０が前記導電性部材７０及び前記基板６０よりも遊技機本体側に配置され、前記ベース部材８０、前記導電性部材７０及び前記基板６０がいずれも平行となるように配置される。このとき、ベース部材８０に設けられた略四角形状の挿入部８５と、導電性部材７０に設けられた弾性保持部７５とが互いに対応する位置となるように配置される。このような配置の下、前記ベース部材８０は非導電性部材で構成されており、ベース部材８０と基板６０との間に設けた導電性部材７０に誘導された電荷が基板６０のグラウンドを介して除去されて、遊技機本体側より生じるノイズ等から基板６０を保護することができる。図における符号１００は基板収容ボックス（取付補助部材）であり、基板６０を収容するケース体１０１と前記ケース体１０１を被着するカバー体１０２とからなり、前記ケース体１０１に基板６０を収容し、そのケース体１０１にカバー体１０２を合着させて一体化する構成である。図の符号７３は突起部、７７は第一挿入部、８３は孔部、８７は第二挿入部である。
【００３４】
図６及び図８の拡大図に示すように、取付補助部材１００は、その側面１０６の上端部に軸部１０３が設けられ、遊技機本体部５１には前記軸部１０３が係合可能なＵ字形状よりなる軸受け部５３が設けられている。図７は軸部１０３を軸受け部５３に係合させて取付補助部材１００を遊技機本体部５１に取り付けた状態を示す。軸部１０３が軸受け部５３に係合されることにより、導通補助部材９０の弾性保持部７５による保持が解除されている状態で、取付補助部材１００に収容された基板６０の一側端（実施例では上端）を軸として基板６０を回動させることができる。このため、基板６０を手前側（図７の矢印方向）へと回動させて該基板６０の裏面を容易に確認することができ、基板６０に対する不正行為を発見し易くするとともに、導通補助部材９０の弾性保持部７５による保持が解除されている時でも基板６０が落下することを防ぐことができる。軸部１０３及び軸受け部５３は、本発明の回動手段に相当する。なお、図６及び７において符号５４は遊技盤３に設けられた入賞口に入賞した遊技球を排出するために集合させる集合路、５５は集合路に設けられた装着部で、該装着部にベース部材８０がねじ等を用いて固定されている。
【００３５】
図９及び１０は、取付補助部材１００及び導電性部材７０をベース部材８０に取り付ける状態を示す。図９に図示するように、ベース部材８０は導電性部材７０及び取付補助部材１００よりも遊技機本体側に配置され、続いて導電性部材７０、取付補助部材１００の順に配置される。導電性部材７０は、その側面７６の上端部には突起部７３が設けられている。一方、ベース部材８０には、突起部７３に対応する位置に孔部８３が設けられている。前記突起部７３は、図１１の断面図に示すように、孔部８３に挿入されて係合することにより、導通補助部材９０の弾性保持部７５による保持が解除されている状態で、導電性部材７０が一側端（実施例では上端）を軸に回動可能に遊技機１に保持される。導電性部材７０が取り付けられた後、基板６０が収容された取付補助部材１００は、その軸部１０３が遊技機本体部５１の軸受け部５３に係合され、図１０の矢印で示すように遊技機本体側に回動されてベース部材８０に取り付けられる。
【００３６】
この発明の遊技機１は、導電性部材７０に弾性保持部７５とは異なる第一挿入部７７を設け、ベース部材８０に挿入部８５とは異なる第二挿入部８７を設け、さらに基板６０に突設された突状部材６７を備えることも可能である（図４及び図５に図示）。突状部材６７が第一及び第二の挿入部のうち少なくとも一方を貫通し他方に挿入されることによって、基板６０と導電性部材７０とがベース部材８０に保持され、基板６０及び導電性部材７０のベース部材８０に対する固定を確実かつ強固なものとすることができる。第一挿入部７７及び第二挿入部８７の位置は、特に限りはないが、基板６０及び導電性部材７０のベース部材８０に対する固定を強固なものとする上で、弾性保持部７５及び挿入部８５の位置に対して対角線状に位置されることが望ましい。また、前記第一挿入部７７は前記弾性保持部７５と同じ構成を有するものとしてもよく、前記突状部材６７は前記導電性部材９０と同じ構成としてもよい。
【００３７】
また、この発明の遊技機１は、導電性部材７０に第三挿入部を設け、ベース部材８０に第四挿入部を設け、基板６０に突設された突状部材を備えるとともに、第三挿入部には突状部材を弾性保持可能な弾性保持部を設けて、第三挿入部、第四挿入部は突状部材が挿入可能な孔部又は凹部として構成し、突状部材を弾性保持部に挿入することにより第四挿入部の側壁が弾性保持部に押圧されることにより基板６０と前記導電性部材７０とが前記ベース部材８０に保持される構成とすることができる。前記第三挿入部及びその弾性保持部、第四挿入部の構成は、前述の弾性保持部７５、挿入部８５の構成と同様であるため説明を省略する。前記第三挿入部及び第四挿入部の位置は、特に限りはないが、、基板６０及び導電性部材７０のベース部材８０に対する固定を強固なものとする上で、弾性保持部７５及び挿入部８５の位置に対して対角線状に位置されることが望ましい。また、前記突状部材は前記導電性部材９０と同じ構成としてもよい。
【００３８】
図１２ないし図１４を用いて、本発明の導通補助部材９０が弾性保持部７５に挿入されて基板６０と導電性部材７０とがベース部材８０に保持される構成を説明する。導通補助部材９０は、図１２（ａ）に図示のとおり、金属性の円筒形状からなる部材で、その上端に開口するねじ穴９１が軸方向に設けられ、また、先端が丸められている。これにより、先端を弾性保持部７５及び挿入部８５に挿入し易くなっている。まず、図１２（ａ）に示すように、ベース部材８０、導電性部材７０、及び導通補助部材９０が孔部１０７より突出された基板収容ボックス（取付補助部材）１００のケース体１０１が、この順に平行に配置される。このとき、導電性部材７０はその弾性保持部７５がベース部材８０の挿入部８５に対応する位置となるように配置される。この実施例では、弾性保持部７５は導電性部材７０と一体に形成された鉄等の板ばね部よりなり、導電性部材７０の略四角形状よりなる開口部の向かい合う二辺に、図１２に図示のとおり対向する略Ｖ字形状に形成され、挿入部８５に挿入された状態となっている。
【００３９】
そして、図１３にも図示するように、導通補助部材９０に対応する位置にグラウンド開口部６１が配置されるように基板６０が被せられ、ねじ９２がグラウンド開口部６１を貫通して導通補助部材本体９６のねじ穴９１に挿入され螺着されることにより、グラウンドと導通補助部材９０とが導通されるとともに導通補助部材９０が基板６０から突出するように配置されて該基板６０に固定される。なお、図１３の符号６２はアースラインを表す。その後、導通補助部材９０が基板収容ボックス（取付補助部材）１００の孔部１０７から突出した状態で基板６０が該基板収容ボックス１００に収容されて図示しない封止ピンにより封止される。そして、前述のように基板収容ボックス１００の軸部１０３を遊技機本体部５１の軸受け部５３に係合させ、基板６０の上端を軸として該基板６０を遊技機本体側に回動させて、図１２（ｂ）に示すように、基板６０に固定された導通補助部材９０が導電性部材７０の弾性保持部７５に挿入される。
【００４０】
図１２（ｂ）、図１４（ａ）及び（ｂ）に示すように、前記導通補助部材９０は、弾性保持部７５に挿入されるとその弾性力により弾性保持され、導電性部材７０本体と導電する。このとき、導通補助部材９０の挿入により弾性保持部７５が挿入部８５の側壁８６へと押し広げられて該側壁８６を押圧固定し、該弾性保持部７５と一体に形成された導電性部材７０がベース部材８０に保持されるとともに、導通補助部材９０に固定された基板６０もベース部材８０に保持される。このように、導通補助部材９０を弾性保持部７５に挿通させるだけで簡単かつ容易にしかもワンタッチで基板６０と導電性部材７０とを導通させるとともに基板６０と導電性部材７０とをベース部材８０に保持させることができる。したがって、基板６０と導電性部材７０の導通及びこれらのベース部材８０への固定に必要な部材を減少させることができ、取付作業の作業性を向上させることができる。なお、弾性保持部７５は、図１４（ａ）の実線で表すように孔部であってもよく、点線で表すように凹部であってもよい。
【００４１】
図１５は、請求項２の発明として規定する遊技機１に関し、導通補助部材９０が弾性保持部７５に挿入されて基板６０と導電性部材７０とがベース部材８０に保持される構成を表す断面図であり、弾性保持部７５及び挿入部８５の他の実施例を表している。前述の実施例とは、導電性部材７０がベース部材８０よりも遊技機本体側に配置されている点、及び基板６０と導電性部材７０とがベース部材８０を挟み込むことによりベース部材８０に保持される点が異なる。挿入部８５又は弾性保持部７５の少なくとも何れか一方が孔部よりなり、この実施例では挿入部８５、弾性保持部７５ともに孔部の場合を実線で表し、挿入部８５が孔部で弾性保持部７５が凹部である場合を点線で表している。導通補助部材９０は、挿入部８５を貫通し弾性保持部７５に挿入されることで、該弾性保持部７５に弾性保持されるとともに導電性部材７０本体と導電する。これにより、基板６０と導電性部材７０とがベース部材８０を挟み込む形で該ベース部材８０に保持されるのである。図１５において、図１４と同一の符号は同一の構成を表す。
【００４２】
なお、本発明は、上記実施例に限定されるものではなく、発明の趣旨を逸脱しない範囲において構成の一部を適宜に変更して実施することができる。例えば、実施例では、弾性保持部及び挿入部がともに孔部である例（図１４及び図１５の実線部分）を示したが、図１６（ａ）に図示するように、ともに凹部であってもよい。この場合においても、図１６（ｂ）に図示するように、導通補助部材９０Ａの挿入により弾性保持部７５Ａが挿入部８５Ａの側壁８６Ａを押圧固定し、該弾性保持部７５Ａと一体に形成された導電性部材７０Ａがベース部材８０Ａに保持されるとともに、導通補助部材９０Ａに固定された基板６０もベース部材８０Ａに保持される。また、図示のように、導通補助部材９０Ａに切り欠き部９３を設け、導通補助部材９０Ａが弾性保持部７５Ａに挿入された際に該弾性保持部７５Ａにより強固に保持させることも可能である。図１６において、図１４と同一の符号は同一の構成を表す。
【００４３】
また、図１７に示すように、弾性保持部が孔部、挿入部が凹部とする構成も可能である。この場合においても、図示はしないが、前述と同様に導通補助部材の挿入により弾性保持部７５が挿入部８５Ａの側壁８６Ａを押圧固定する構成である。
【００４４】
さらに、実施例では、回動手段として取付補助部材に軸部を設け遊技機本体部に軸受け部を設ける構成としたが、基板の一側端を軸として基板を回動可能に遊技機本体に保持させることが可能であればこれに限定されるものでなく、取付補助部材に軸受け部を設け、遊技機本体部に軸部を設ける構成としてもよい。その他、導電性部材をその一側端を軸に回動可能に遊技機に保持させる構成として、実施例では、導電性部材に突起部を設けベース部材に孔部を設ける構成としたが、これに限られず、ベース部材に凹部を設けてこれに突起部を係合させてもよい。
【００４５】
さらにまた、実施例では、遊技機本体部材を遊技盤としたが、遊技機を構成する部材であればよく、例えば機構板等でもよい。その他、実施例では、パチンコ遊技機を用いて説明したが、スロットマシン、アレンジボール等にも適用可能である。
【図面の簡単な説明】
【００４６】
【図１】本発明の一実施例に係る遊技機全体の正面図である。
【図２】同遊技機全体の裏面図である。
【図３】枠体、機構板及び前面枠の斜視図である。
【図４】遊技盤の背面図である。
【図５】基板、導電性部材及びベース部材の位置関係を示す斜視図である。
【図６】取付補助部材をベース部材に取り付ける状態の前半を示す斜視図である。
【図７】取付補助部材をベース部材に取り付ける状態の後半を示す斜視図である。
【図８】図６の要部拡大図である。
【図９】取付補助部材及び導電性部材をベース部材に取り付ける状態の前半を示す斜視図である。
【図１０】取付補助部材及び導電性部材をベース部材に取り付ける状態の後半を示す斜視図である。
【図１１】図８のＸ−Ｘ線の位置で切断した状態の断面図である。
【図１２】導通補助部材が弾性保持部に挿入される状態を示す断面図である。
【図１３】基板と導通補助部材とが固定された状態を示す斜視図である。
【図１４】図１２の要部拡大図である。
【図１５】導通補助部材が弾性保持部に挿入される他の実施例を示す断面図である。
【図１６】導通補助部材が弾性保持部に挿入される別の実施例を示す断面図である。
【図１７】弾性保持部及び挿入部のさらに別の実施例を示す断面図である。
【符号の説明】
【００４７】
１  遊技機
３  遊技盤
６  遊技領域
５０  遊技機本体部材
５１  遊技機本体部
５５  軸受け部
６０  基板
６１  グラウンド
６７  突状部材
７０  導電性部材
７５  弾性保持部
７７  第一挿入部
８０  ベース部材
８５  挿入部
８６  側壁
８７  第二挿入部
９０  導通補助部材
１００  取付補助部材（主制御基板収容ボックス）
１０５  軸部
【図１】
2005270418.tif 000003
【図２】
2005270418.tif 000004
【図３】
2005270418.tif 000005
【図４】
2005270418.tif 000006
【図５】
2005270418.tif 000007
【図６】
2005270418.tif 000008
【図７】
2005270418.tif 000009
【図８】
2005270418.tif 000010
【図９】
2005270418.tif 000011
【図１０】
2005270418.tif 000012
【図１１】
2005270418.tif 000013
【図１２】
2005270418.tif 000014
【図１３】
2005270418.tif 000015
【図１４】
2005270418.tif 000016
【図１５】
2005270418.tif 000017
【図１６】
2005270418.tif 000018
【図１７】
2005270418.tif 000019